(57)【要約】【課題】バッファメモリの記憶管理を行うことにより、ユーザの使い勝手を向上させた記録装置を提供する。【解決手段】ＭＰＵ１０５は、バッファメモリ４００Ａに現在格納されている記録データを光ディスクドライブ２００とＨＤＤ３００とにそれぞれ供給するようデータプロセッサ４００に指示する。ＭＰＵ１０５は、バッファメモリ４００Ａに現在格納されている記録データの、光ディスクドライブ２００及びＨＤＤ３００への供給が完了したか否かを判定する。光ディスクドライブ２００及びＨＤＤ３００への供給が完了すると、ＭＰＵ１０５は、エンコーダ１０３から新たに入力されてきたデータでバッファメモリ４００Ａの内容を更新するようデータプロセッサ４００に指示する。ＨＤ３００Ａと光ディスク１００の両方のメディアにコンテンツを同時に記録させるため、ユーザの使い勝手を向上させることができる。【選択図】  図３
2008146786.tif 000002
【特許請求の範囲】
【請求項１】
ＤＶＤにピックアップヘッドからレーザ光を照射し、そのＤＶＤにデータを記録するＤＶＤドライブ装置と、
ハードディスクにデータを記録するハードディスクドライブ装置と、を備えたＨＤＤ付きＤＶＤレコーダにおいて、
入力ソースから入力されてきたデータを一時記憶する第１のバッファメモリと、
前記ＤＶＤと前記ハードディスクとの両方に対するデータの記録が指示されると、前記第１のバッファメモリに現在格納されているデータを前記ＤＶＤドライブ装置と前記ハードディスクドライブ装置とにそれぞれ供給する供給手段と、を備え、
前記ＤＶＤドライブ装置は、前記供給手段から供給されたデータを一時記憶する第２のバッファメモリと、該第２のバッファメモリに記憶されているデータを前記ＤＶＤに記録する記録手段と、を有し、
前記供給手段は、
前記両ドライブ装置への供給が完了した後、前記入力ソースから新たに入力されてきたデータで前記第１のバッファメモリの内容を更新し、
前記第２のバッファメモリがオーバーフローする前に、前記ＤＶＤドライブ装置へのデータの供給を一時的に中止し、
前記第２のバッファメモリがアンダーフローする前に、前記ＤＶＤドライブ装置へデータを供給するＨＤＤ付きＤＶＤレコーダ。
【請求項２】
第１のメディアにデータを記録する第１のドライブ装置と、
第２のメディアにデータを記録する第２のドライブ装置と、を備えた記録装置において、
入力ソースから入力されてきたデータを一時記憶する第１のバッファメモリと、
前記第１のメディアと前記第２のメディアとの両方に対するデータの記録が指示されると、前記第１のバッファメモリに現在格納されているデータを前記第１のドライブ装置と前記第２のドライブ装置とにそれぞれ供給する供給手段と、を備え、
前記供給手段は、前記両ドライブ装置への供給が完了した後、前記入力ソースから新たに入力されてきたデータで前記第１のバッファメモリの内容を更新する記録装置。
【請求項３】
前記第１のドライブ装置は、前記供給手段から供給されたデータを一時記憶する第２のバッファメモリと、該第２のバッファメモリに記憶されているデータを前記第１のメディアに記録する記録手段と、を有し、
前記供給手段は、前記第２のバッファメモリがオーバーフローする前に、前記第１のドライブ装置へのデータの供給を一時的に中止する請求項２に記載の記録装置。
【請求項４】
前記第１のメディアは、光ディスクであり、
前記第１のドライブ装置は、前記光ディスクにピックアップヘッドからレーザ光を照射し、その光ディスクにデータを記録する光ディスクドライブ装置であり、
前記供給手段は、データの記録中、前記第２のバッファメモリがアンダーフローする前に、前記第１のドライブ装置へデータを供給する請求項２又は３に記載の記録装置。
【発明の詳細な説明】
【技術分野】
【０００１】
本発明は、第１のメディアにデータを記録する第１のドライブ装置と、第２のメディアにデータを記録する第２のドライブ装置と、を備えた記録装置に関するものである。
【背景技術】
【０００２】
従来から、ハードディスクドライブ付き光ディスクレコーダが各種考案されている。ＨＤＤ付き光ディスクレコーダは、入力ソースから入力されてきたデータを一時記憶するバッファメモリと、そのバッファメモリのデータを光ディスクに記録する光ディスクドライブと、そのバッファメモリのデータをハードディスク（以下、「ＨＤ」と称する。）に記録するハードディスクドライブ（以下、「ＨＤＤ」と称する。）と、を備える。光ディスクは、例えばＣＤ、又はＤＶＤである。
【０００３】
このようなＨＤＤ付き光ディスクレコーダの使用方法としては、まず、テレビ番組などのコンテンツをＨＤに録画する。そして、録画完了後、そのコンテンツのバックアップなどの目的から、ユーザは、そのコンテンツをＨＤから光ディスクにコピーする。
一方、特許文献１では情報記録装置が提案されている。
【特許文献１】特開２００４−１１８９８６公報
【発明の開示】
【発明が解決しようとする課題】
【０００４】
しかしながら、ユーザが、ＨＤと光ディスクの両方のメディアにコンテンツを記録することを、ＨＤへのコンテンツの録画開始の際に既に考えている場合に問題となる。詳述すると、この場合でもユーザは、コンテンツをＨＤに録画した後に光ディスクにダビングするというステップを踏まなければならない。
そのため、ＨＤへのコンテンツの録画開始から光ディスクへのダビング終了までの間、ユーザは、待たなければならなかった。また、ユーザはＨＤへのコンテンツの録画を指示した後に光ディスクへのダビングを指示しなければならず、手間もかかっていた。
従って、ユーザが上記のように考えている場合、従来のＨＤＤ付き光ディスクレコーダでは、ユーザの使い勝手が悪いという問題があった。
【０００５】
本発明はこのような従来の課題を解決しようとするものであり、バッファメモリの記憶管理を行うことにより、ユーザの使い勝手を向上させた記録装置を提供することを目的とする。
【課題を解決するための手段】
【０００６】
本発明の記録装置は、前記課題を解決するために以下の構成を備えている。
【０００７】
（１）第１のメディアにデータを記録する第１のドライブ装置と、
第２のメディアにデータを記録する第２のドライブ装置と、を備えた記録装置において、
入力ソースから入力されてきたデータを一時記憶する第１のバッファメモリと、
前記第１のメディアと前記第２のメディアとの両方に対するデータの記録が指示されると、前記第１のバッファメモリに現在格納されているデータを前記第１のドライブ装置と前記第２のドライブ装置とにそれぞれ供給する供給手段と、を備え、
前記供給手段は、前記両ドライブ装置への供給が完了した後、前記入力ソースから新たに入力されてきたデータで前記第１のバッファメモリの内容を更新する。
【０００８】
この構成において、記録装置は、例えばＨＤＤ付きＤＶＤレコーダである。第１のメディアは、例えば光ディスク、ＨＤ、半導体メモリである。第２のメディアも、例えば光ディスク、ＨＤ、半導体メモリである。
この構成では、ユーザが、第１のメディアと第２のメディアの両方のメディアにコンテンツを記録することを、第１のメディアへのコンテンツの録画開始の際に既に考えている場面を想定している。
このような場面において、ユーザは、第１のメディアと第２のメディアとの両方に対するデータの記録を指示する。すると、供給手段は、バッファメモリの記憶管理を行って次のように動作する。供給手段は、バッファメモリに現在格納されているデータを第１のドライブ装置と第２のドライブ装置とにそれぞれ供給する。供給手段は、両ドライブ装置への供給が完了した後、入力ソースから新たに入力されてきたデータでバッファメモリの内容を更新する。この供給と更新は、コンテンツの記録が完了するまで、繰り返される。
これにより、ＨＤと光ディスクの両方のメディアにコンテンツを記録することを、ＨＤへのコンテンツの録画開始の際に既に考えている場合に、ユーザは、コンテンツをＨＤに録画した後に光ディスクにダビングするというステップを踏まずに済む。
即ち、ＨＤと光ディスクの両方のメディアにコンテンツを同時に記録させるため、ユーザを待たせる時間を短縮することができる。また、ユーザはコンテンツの録画を１回指示するだけで良いため、手間も省くことができる。従って、ユーザの使い勝手を向上させることができる。
【０００９】
（２）前記第１のドライブ装置は、前記供給手段から供給されたデータを一時記憶する第２のバッファメモリと、該第２のバッファメモリに記憶されているデータを前記第１のメディアに記録する記録手段と、を有し、
前記供給手段は、前記第２のバッファメモリがオーバーフローする前に、前記第１のドライブ装置へのデータの供給を一時的に中止する。
【００１０】
記録手段の記録速度を考慮せずに供給手段がデータを供給し続けると、第２のバッファメモリにおいてバッファオーバーフローが発生する。
この構成においては、供給手段は、第２のバッファメモリがオーバーフローする前に、光ディスクドライブへの記録データの供給を一時中止する。
これにより、第２のバッファメモリのバッファオーバーフローを防ぐことができる。
なお、供給手段は、一時的に待機した後、光ディスクドライブへのデータ供給を再開する。
【００１１】
（３）前記第１のメディアは、光ディスクであり、
前記第１のドライブ装置は、前記光ディスクにピックアップヘッドからレーザ光を照射し、その光ディスクにデータを記録する光ディスクドライブ装置であり、
前記供給手段は、データの記録中、前記第２のバッファメモリがアンダーフローする前に、前記第１のドライブ装置へデータを供給する。
【００１２】
光ディスクドライブ装置は、第２のバッファメモリがオーバーフローすると、記録動作を中断する。この結果、光ディスクドライブ装置は、光ディスクに、レーザー光による痕を残し、つなぎ目を作ってしまう。
この構成においては、光ディスクへの記録中に記録動作が中断しないよう、第２のバッファメモリにデータを記憶させておく。
これにより、レーザー光による痕が残って光ディスクにつなぎ目ができてしまうことを防止できる。
【発明の効果】
【００１３】
この発明によれば、ユーザの使い勝手を向上させることができる。
【発明を実施するための最良の形態】
【００１４】
以下、本発明の実施形態であるＨＤＤ付きＤＶＤレコーダについて説明する。
【００１５】
図１は、本発明の実施形態であるＨＤＤ付きＤＶＤレコーダの構成を示すブロック図である。ＨＤＤ付きＤＶＤレコーダ１は、例えばＤＶＤ（Ｄｉｇｉｔａｌ  Ｖｅｒｓａｔｉｌｅ  Ｄｉｓｋ）規格に準拠して製造された光ディスク１００に、（ＴＶ番組等の）データを記録する光ディスクドライブ２００と、内蔵するＨＤ３００Aに大容量データを記録するＨＤＤ（ハードディスクドライブ）３００と、入力ソースから入力されてきたデータを一時記憶するバッファメモリ４００Ａを内臓するデータプロセッサ４００と、を備える。
なお、この実施形態では、第１のメディアを光ディスク１００に、又第２のメディアをＨＤ３００Aとしているが、実施の際は、他のメディアでも構わない。他のメディアは、例えば半導体メモリである。
【００１６】
さらに、ＨＤＤ付きＤＶＤレコーダ１は、ＡＶ入力端子１０１と、チューナ１０２と、エンコーダ部１０３と、タイマーマイコン１０９と、操作部１１０と、メモリ１１１と、表示部１０８と、装置本体各部の動作を制御するＭＰＵ１０５と、を備える。
【００１７】
ＡＶ入力端子１０１は、記録対象である映像信号や音声信号等をＨＤＤ付きＤＶＤレコーダ１の外部から入力し、接続されているエンコーダ部１０３に出力する。外部には、例えばインターネットが接続されている。
【００１８】
チューナ１０２は、例えば放送事業者から配信されるテレビ放送信号が受信されるアンテナ（不図示）と接続されている。そして、チューナ１０２は、アンテナで受信したテレビ放送信号から選択されているチャンネルのテレビ放送信号を抽出し、エンコーダ部１０３に出力する。
なお、ＡＶ入力端子１０１、又はチューナ１０２が、本発明の「入力ソース」に相当する。
【００１９】
エンコーダ部１０３は、不図示のバッファメモリを内蔵する。
【００２０】
エンコーダ部１０３は、ＡＶ入力端子１０１から入力された映像信号や音声信号を（例えばＭＰＥＧ２で）バッファメモリに一旦格納する。エンコーダ部１０３は、バッファメモリのデータを順次読み出してエンコードして圧縮する。エンコーダ部１０３は、圧縮後のデータを記録データとして、データプロセッサ４００のバッファメモリ４００Ａに格納する。
また、エンコーダ部１０３は、チューナ１０２から入力されたテレビ放送信号から映像信号、音声信号を分離する。そして、エンコーダ部１０３は、それらの信号をバッファメモリに一旦格納する。エンコーダ部１０３は、バッファメモリのデータを順次読み出してエンコードして圧縮する。エンコーダ部１０３は、圧縮後のデータを記録データとして、データプロセッサ４００のバッファメモリ４００Ａに格納する。
【００２１】
データプロセッサ４００は、エンコーダ部１０３から出力された記録データを一時記憶するバッファメモリ４００Ａを内蔵する。データプロセッサ４００は、ＭＰＵ１０５の制御に従って、バッファメモリ４００Ａに現在格納されている記録データを、光ディスクドライブ２００とＨＤＤ３００との少なくともいずれか一方に供給する。
【００２２】
さらに、データプロセッサ４００は、ＭＰＵ１０５の制御に従って、光ディスクドライブ２００から読み出されたデータをＨＤＤ３００に供給したり、ＨＤＤ３００から読み出されたデータを光ディスクドライブ２００に供給したりする。
なお、データプロセッサ４００及びＭＰＵ１０５が、本発明の「供給手段」に相当する。
【００２３】
光ディスクドライブ２００は、データプロセッサ４００から供給された記録データを一時記憶するバッファメモリ２００Ａと、ＭＰＵ１０５の制御に従って、光ディスク１００にピックアップヘッドからレーザ光を照射し、その光ディスク１００にバッファメモリ２００Ａの記録データを記録する記録部２００Ｂと、を有する。光ディスク１００は、追記録可能なＤＶＤ−Ｒや書換え可能なＤＶＤ−ＲＡＭ等の記録可能光ディスクとする。
【００２４】
なお、記録部２００Ｂが、本発明の「記録手段」に相当する。
また、この実施形態では、光ディスク１００をＤＶＤとしているが、実施の際は、ＣＤでも構わない。
【００２５】
ＨＤＤ３００は、ＭＰＵ１０５の制御に従って、供給された記録データをＨＤ３００Aに記録する。
【００２６】
一方、ＭＰＵ１０５には、タイマーマイコン１０９が接続されている。
タイマーマイコン１０９は、ＨＤＤ付きＤＶＤレコーダ１の時間管理に利用されるタイマー回路（時計ユニット）１０９Aを有している。タイマーマイコン１０９は、録画予約開始時刻になると、録画の開始をＭＰＵ１０５に指示する。また、タイマーマイコン１０９は、録画予約終了時刻になると、録画の終了をＭＰＵ１０５に指示する。
【００２７】
タイマーマイコン１０９には、ユーザからの操作（指示）を受け付ける操作部１１０が接続されている。また、ＭＰＵ１０５には、ＨＤＤ付きＤＶＤレコーダ１の動作状態を表示する表示部１０８と、EEPROM等のメモリ１１１と、が接続されている。
【００２８】
メモリ１１１は、制御プログラムを格納する。
ＭＰＵ１０５は、メモリ１１１に記憶されている制御プログラムに基づいて、ＨＤ３００Ａ及び光ディスク１００に対するデータの記録動作、読み出し動作、及び削除動作、表示部１０８の表示動作等を制御する。
【００２９】
また、ＭＰＵ１０５は、光ディスクドライブ２００又はＨＤＤ３００から光ディスク１００又はＨＤ３００Aの制御情報を取得する。そして、ＭＰＵ１０５は、取得した制御情報等からＨＤＤ３００に内蔵されているＨＤ３００Aと、光ディスクドライブ２００にセットされた光ディスク１００と、の残容量を監視する。
【００３０】
操作部１１０は、ＴＶ番組などを録画するための録画キー、光ディスク１００とＨＤ３００Aとの両方に対するデータの記録を受付けるダブル録画キー及びその他の操作キーを有している。そして、これらのキー操作により、ユーザは、録画及び録画予約の入力等を行う。
【００３１】
又、操作部１１０は、図示しないリモコン（リモートコントロール端末）から送信された制御信号を受け入れるデータ受信部１１０Bと、ユーザからの直接入力を受付け、制御信号をタイマーマイコン１０９やMPU１０５へ出力可能な操作パネル１１０Aと、を有する。
【００３２】
図２は、本発明の実施形態であるＨＤＤ付きＤＶＤレコーダのＭＰＵ１０５が行う動作を示すフローチャートである。この動作は、上記ダブル録画キーが押下された時、即ち、光ディスク１００とＨＤ３００Aとの両方に対するデータの記録が指示された時の動作である。ここでは、ユーザが、ＨＤ３００Ａと光ディスク１００の両方のメディアにコンテンツを記録することを、ＨＤ３００Ａへのコンテンツの録画開始の際に既に考えている場面を想定している。このような場面において、ユーザはダブル録画キーを押下する。
【００３３】
上記ダブル録画キーが押下されると、ＭＰＵ１０５は、光ディスクドライブ２００及びＨＤＤ３００などに指示し、光ディスク１００とＨＤ３００Aへの記録を開始する（Ｓ１）。これにより、エンコーダ１０３には、入力ソースからのデータが順次入力される。そして、エンコーダ１０３は、そのデータを順次エンコードし、エンコード済みの記録データをバッファメモリ４００Ａに格納していく。
【００３４】
図３は、入力ソースから入力されてきたデータの流れを示す図である。
ＭＰＵ１０５は、図３に示すように、バッファメモリ４００Ａの記憶管理を開始する（Ｓ２）。
【００３５】
ＭＰＵ１０５は、図３に示すように、バッファメモリ４００Ａに現在格納されている記録データを光ディスクドライブ２００とＨＤＤ３００とにそれぞれ供給するようデータプロセッサ４００に指示する（Ｓ３）。
【００３６】
ＭＰＵ１０５は、バッファメモリ４００Ａに現在格納されている記録データの、光ディスクドライブ２００及びＨＤＤ３００への供給が完了したか否かを判定する（Ｓ４）。ここで、光ディスクドライブ２００は、バッファメモリ２００Ａを有している。このバッファメモリ２００Ａが満タン又は略満タンになると、即ちバッファメモリ２００Ａがオーバーフローする前に、光ディスクドライブ２００は、データプロセッサ４００からの記録データの供給を拒否する。この理由は、バッファオーバーフローを防ぐためである。データプロセッサ４００は、光ディスクドライブ２００への記録データの供給を一時停止する。これにより、バッファメモリ２００Ａのバッファオーバーフローを防ぐことができる。そして、データプロセッサ４００は、所定時間待機して、再度、記録データを光ディスクドライブ２００に供給する。
また、このバッファメモリ２００Ａには、光ディスク１００への記録中に記録動作が中断しないよう、記録データを保持させておく。この理由は、バッファメモリ２００Ａが空になって記録動作が中断すると、即ちバッファメモリ２００Ａがアンダーフローすると、光ディスク１００に、レーザー光による痕が残ってつなぎ目ができてしまうためである。そのため、データプロセッサ４００は、所定時間待機して、再度、記録データを光ディスクドライブ２００に供給する。また、データプロセッサ４００は、バッファメモリ２００Ａのデータ量が空になる前に、即ちバッファメモリ２００Ａがアンダーフローする前に、記録データを光ディスクドライブ２００に供給する。これにより、レーザー光による痕が残って光ディスク１００につなぎ目ができてしまうことを防止できる。
【００３７】
光ディスクドライブ２００及びＨＤＤ３００への供給が完了すると、ＭＰＵ１０５は、エンコーダ１０３から新たに入力されてきたデータでバッファメモリ４００Ａの内容を更新するようデータプロセッサ４００に指示する（Ｓ５）。この結果、新たな記録データがバッファメモリ４００Ａに格納される。
ここで、データプロセッサ４００は、ＭＰＵ１０５の上記Ｓ５の指示があるまで、バッファメモリ４００Ａに現在格納されているデータを全て維持する。つまり、バッファメモリ４００Ａの内容が更新されるのをデータプロセッサ４００は制限する。
【００３８】
ＭＰＵ１０５は、光ディスクドライブ２００及びＨＤＤ３００への記録が完了したか否かを判定する（Ｓ６）。この判定は、記録データのストリームが終端に到達したか否かを調査すること、又は、タイマーマイコン１０９から録画の終了が指示されたか否かを確認することにより行われる。
【００３９】
光ディスクドライブ２００及びＨＤＤ３００への記録が完了していないと判定すると、ＭＰＵ１０５は、Ｓ３に戻り処理を継続する。即ち、記録中、ＭＰＵ１０５は、Ｓ３乃至Ｓ５の動作を繰り返す。
【００４０】
光ディスクドライブ２００及びＨＤＤ３００への記録が完了したと判定すると、ＭＰＵ１０５は、制御情報を光ディスクドライブ２００及びＨＤＤ３００に記録させ（Ｓ７）、本処理を終了する。詳述すると、ＭＰＵ１０５は、ＵＤＦ（ユニバーサルディスクフォーマット）をデータプロセッサ４００に作成させて、光ディスクドライブ２００に供給させる。光ディスクドライブ２００は、ＵＤＦを光ディスク１００に記録する。また、ＭＰＵ１０５は、所定のファイルシステム（ＦＡＴなど）をデータプロセッサ４００に作成させて、ＨＤＤ３００に供給させる。ＨＤＤ３００は、所定のファイルシステムをＨＤ３００Ａに記録する。
【００４１】
以上より、ＨＤ３００Ａと光ディスク１００の両方のメディアにコンテンツを記録することを、ＨＤ３００Ａへのコンテンツの録画開始の際に既に考えている場合でも、ユーザは、コンテンツをＨＤ３００Ａに録画した後に光ディスク１００にダビングするというステップを踏まずに済む。
即ち、ＨＤ３００Ａと光ディスク１００の両方のメディアにコンテンツを同時に記録させるため、ユーザを待たせる時間を短縮することができる。また、ユーザはコンテンツの録画を１回指示するだけで良いため、手間も省くことができる。従って、ユーザの使い勝手を向上させることができる。
【図面の簡単な説明】
【００４２】
【図１】本発明の実施形態であるＨＤＤ付きＤＶＤレコーダの構成を示すブロック図
【図２】本発明の実施形態であるＨＤＤ付きＤＶＤレコーダのＭＰＵ１０５が行う動作を示すフローチャート
【図３】入力ソースから入力されてきたデータの流れを示す図
【符号の説明】
【００４３】
１−ＨＤＤ付きＤＶＤレコーダ
１００−光ディスク
１０１−ＡＶ入力端子
１０２−チューナ
１０３−エンコーダ部
１０５−ＭＰＵ
１０８−表示部
１０９−タイマーマイコン
１１０−操作部
１１０A−操作パネル
１１０B−データ受信部
１１１−メモリ
２００−光ディスクドライブ
２００Ａ−バッファメモリ
２００Ｂ−記録部
３００−ＨＤＤ
３００A−ＨＤ
４００−データプロセッサ
４００Ａ−バッファメモリ
【図１】
2008146786.tif 000003
【図２】
2008146786.tif 000004
【図３】
2008146786.tif 000005